(57)【要約】      （修正有）【課題】タブレットＰＣの安全性を高める保護カバーを提供する。【解決手段】保護カバーは液晶ディスプレイカバー１２および保護蓋１３を有する。前蓋１１１上に液晶ディスプレイ１１３が設けられ、前蓋１１１と裏蓋１１２と接続する一つの側辺には結合部１１４が設けられている。結合部１１４は液晶ディスプレイカバー１２が磁力によって、結合部１１４と一体に結合する機能を提供する。液晶ディスプレイカバー１２は、枢軸１２４、２つの軸受台１２３、一つの反転棒、およびカバー部１２１を有する。枢軸１２４の両端部はそれぞれ各軸受台１２３に回転可能に接続され、反転棒の両端部もそれぞれ各軸受台１２３に回転可能に接続される。カバー部１２１の一端は反転棒の表面を覆い、反転棒を軸心として反転し、液晶ディスプレイ１１３を遮蔽または開放する。【選択図】図１
0003178107.tif 000002
【実用新案登録請求の範囲】
【請求項１】
前蓋、裏蓋、および結合部を有するタブレットＰＣを保護する保護カバーであって、
液晶ディスプレイカバーおよび保護蓋を備え、
前記液晶ディスプレイカバーは、枢軸を有し、
前記枢軸は、握持または吸着の方式によって、前記結合部と一体に結合可能であり、
前記保護蓋は、蓋体、挟持部、およびつかみ部を有し、
前記蓋体の一方の面には収容空間が凹設され、当該収容空間は前記タブレットＰＣの前記裏蓋を収容し、
前記挟持部は、前記蓋体において、前記収容空間の周縁に設けられ、前記収容空間向きに屈折してフック状に形成され、前記タブレットＰＣの周縁との整合性を有し、前記裏蓋が前記収容空間に収容された後、前記挟持部は前記タブレットＰＣの周縁を握持することによって、前記蓋体と前記裏蓋が一体に結合され、
前記つかみ部は、前記蓋体において、前記結合部に対応する位置に設けられ、前記蓋体と前記裏蓋が一体に結合されたとき、前記枢軸を確実に握持することが可能であることを特徴とする保護カバー。
【請求項２】
前記蓋体において、前記タブレットＰＣと外部とが連絡する部位に、穴部が開けられることを特徴とする請求項１記載の保護カバー。
【請求項３】
前記蓋体は弾性部材により形成されることを特徴とする請求項２記載の保護カバー。
【請求項４】
前記つかみ部は前記蓋体の周縁から延ばして形成されることを特徴とする請求項３記載の保護カバー。
【請求項５】
前記挟持部は前記蓋体の周縁から前記収容空間に延ばして形成することを特徴とする、請求項４記載の保護カバー。
【請求項６】
前蓋、裏蓋、および、前記前蓋と前記裏蓋に接続する付近部一つの側の周辺に設けられる結合部を有するタブレットＰＣを保護する保護カバーであって、
液晶ディスプレイカバーおよび保護蓋を備え、
前記液晶ディスプレイカバーは、枢軸、２つの軸受台、反転棒、および、カバー部を有し、
前記枢軸は、握持または吸着の方式によって、前記結合部と一体に結合可能であり、
前記枢軸の両端部は、それぞれ各前記軸受台に回転可能に接続し、
前記反転棒の両端部は、各前記軸受台に回転可能に接続し、
前記反転棒と前記枢軸との間には隙間を有し、前記反転棒と前記枢軸とは互いに平行し、
前記カバー部の一端は、前記反転棒の表面を覆い、前記反転棒を軸心として反転し、前記前蓋に設けられた液晶ディスプレイを遮蔽または開放し、
前記保護蓋は、蓋体、挟持部、およびつかみ部を有し、
前記蓋体の一方の面には収容空間が凹設され、当該収容空間は前記タブレットＰＣの前記裏蓋を収容し、
前記蓋体において前記軸受台に対応する位置には、逃げ口が開けられ、
前記挟持部は、前記蓋体において、前記収容空間の周縁に設けられ、前記収容空間向きに屈折してフック状に形成され、前記タブレットＰＣの周縁との整合性を有し、前記裏蓋が前記収容空間に収容された後、前記挟持部は前記タブレットＰＣの周縁を握持することによって、前記蓋体と前記裏蓋とが一体に結合され、
前記つかみ部は、前記蓋体において、前記結合部に対応する位置に設けられ、前記蓋体と前記裏蓋が一体に結合されたとき、前記枢軸を確実に握持することが可能であることを特徴とする保護カバー。
【請求項７】
前記つかみ部は、前記枢軸の外部で前記枢軸を握持し、前記つかみ部の一端は前記枢軸と前記反転棒との前記隙間につかんでいて、各前記軸受台が前記枢軸を軸心としてめくるとき、前記反転棒は前記枢軸を軸心として、前記つかみ部の外側にてめくられることを特徴とする、請求項６記載の保護カバー。
【請求項８】
前記蓋体において、前記タブレットＰＣと外部とが連絡する部位に、穴部が開けられることを特徴とする請求項７記載の保護カバー。
【請求項９】
前記蓋体は弾性部材により形成されることを特徴とする請求項８記載の保護カバー。
【請求項１０】
前記つかみ部は前記蓋体の周縁から延ばして形成されることを特徴とする請求項９記載の保護カバー。
【請求項１１】
前記挟持部は前記蓋体の周縁から前記収容空間に延ばして形成することを特徴とする、請求項１０記載の保護カバー。
【考案の詳細な説明】
【技術分野】
【０００１】
本考案は、保護カバーに関し、特にタブレットＰＣの保護に適用する保護カバーに関する。
【背景技術】
【０００２】
近年、各種のソフトウェア、ハードウェア技術の進歩および進展により、電子装置の開発は、演算速度などの効果を唯一の目標とすることではなく、使用者に双方向性を体験させることを目的としている。早期のデスクコンピュータからノートパソコン、パームトップコンピュータ、タブレットＰＣまで、業者はこの種の電子装置を製造するときに、ハードウェア面のコンパクト化並びに電子装置の携帯利便性の向上を図るほか、ソフトウェア面についても、使用者の直感操作を主要な開発目標としている。
【０００３】
タブレットＰＣは前述各種の電子装置に比べ、優れた携帯性および機能性を有し、パソコン市場のほかに電子書籍リーダーの市場に跨がっている。近年、タブレットＰＣは、数多くの業者の研究開発重点の一つになっている一方、ますます多くの消費者が前述各種の電子装置を選択購入するときは、タブレットＰＣをベストチョイズに置かれている。携帯の利便性と操作の柔軟性はタブレットＰＣの主な特色であるため、多くの使用者はときどきタブレットＰＣを携帯して使用している。他の電子装置に比べ、使用者は移動中でタブレットＰＣを使用する機会が多いことから、タブレットＰＣ保護のニーズも他の電子装置より大きくなる。例えば、特許文献１には、筐体保護カバーが開示されている。
【先行技術文献】
【特許文献】
【０００４】
【特許文献１】特開２００８−２３５３２６号公報
【考案の概要】
【考案が解決しようとする課題】
【０００５】
現在、タブレットＰＣの保護カバーは種類を有する。保護部位で分類すると、装置全体を保護するフィルム型およびバッグ型、液晶ディスプレイを保護する液晶保護シートおよび液晶ディスプレイカバー、タブレットＰＣの裏蓋を保護する保護蓋などがある。そのうち、フィルム型や液晶保護シートなどの保護カバーは、主にタブレットＰＣが鋭い物体との接触やまたは擦りによる引っかき傷を防止する。しかし、タブレットＰＣに対する衝撃等に対する保護はほとんど提供できないため、タブレットＰＣが衝撃を受け破損するおそれがある。よって、使用者はタブレットＰＣの液晶ディスプレイを対象とした保護素子を選択する。装置全体を覆う保護バッグに対して、一部の使用者は液晶ディスプレイカバーをタブレットＰＣの主な保護カバーとし、タブレットＰＣの軽量性、簡潔性、および美観性を維持する。しかし、液晶ディスプレイカバーだけではタブレットＰＣの裏蓋に何らの保護も提供できない。液晶ディスプレイカバーは取付けおよび取り外しが簡単の形に形成されるため液晶ディスプレイカバーはタブレットＰＣと容易に離脱する恐れがある。このとき、使用者が液晶ディスプレイカバーのみをつかんでいた場合、タブレットＰＣは地面に落ちて破損する。よって、使用者は、タブレットＰＣを操作するときに、このような事故発生を避けるために、余計な注意をしなければならない。これは、使用者がもっとも簡単、もっとも直感的な方式によりタブレットＰＣ使用を使用する思想に反する。
【０００６】
本考案は、上記の問題に鑑みてなされたものであり、その目的は、タブレットＰＣの安全性を高める保護カバーを提供することにある。
【課題を解決するための手段】
【０００７】
本考案は、前蓋、裏蓋、および結合部を有するタブレットＰＣを保護する保護カバーである。保護カバーは、ディスプレイカバーおよび保護蓋を備える。ディスプレイカバーは、枢軸を有する。前蓋と裏蓋と接続する付近一つの側の周辺に結合部が設けられ、液晶ディスプレイカバーの枢軸は握持または吸着の方式により結合部と一体に結合する。液晶ディスプレイカバーは、枢軸を軸心として反転し、前蓋に取り付けた液晶ディスプレイを遮蔽または開放する。保護蓋は、蓋体、少なくとも一つの挟持部、および一つのつかみ部を有する。そのうち、蓋体は、弾性部材（例えば、ポリカーボネート（ＰＣ）、ポリ塩化ビニール（ＰＶＣ）またはテレフタル酸ポリエチレン（ＰＥＴ）などの材料）から形成される。蓋体の一つの側は、収容空間が凹設され、裏蓋を収容し、裏蓋が外力のこすりまたは衝撃を受けることによるこすり傷または凹みを防ぐ。蓋体には、タブレットＰＣが外部に連絡する部位に対応して、穴部が設けられている。例えば、スピーカ穴、カメラのレンズ、各種のボタンまたはさまざまな周辺装置のコネクタなど、それぞれの穴部があらかじめに開けられている。各挟持部は蓋体の収容空間の周縁部付近に設けられ、蓋体の周縁から収容空間に延ばしてフック状に形成される。裏蓋を収容空間に収容した後、各挟持部がタブレットＰＣの周りを係止することによって、蓋体と裏蓋は一体に結合する。つかみ部は、蓋体において結合部に対応する位置に設けられ、蓋体の周縁から延ばして形成し、蓋体と裏蓋が一体に結合したとき、液晶ディスプレイの枢軸を握持する。使用者が液晶ディスプレイカバーを反転するとき、枢軸は結合部から離脱することを抑制する。
【０００８】
タブレットＰＣは前蓋と裏蓋とを有する。前蓋と裏蓋が連結する一つの側付近の周りは結合部が設けられている。液晶ディスプレイカバーは枢軸、２つの軸受台、一つの反転棒、および、カバー部を備える。液晶ディスプレイカバーの枢軸は、握持または吸着の方式により結合部と一体に結合することができる。枢軸の両端部は、それぞれ各軸受台に回転可能に接続され、反転棒の両端部も各軸受台に回転可能に接続されている。反転棒と枢軸との間には隙間が形成され、両者の軸心は互いに平行している。カバー部の一端は反転棒の表面を覆い、反転棒を軸心として反転し、前蓋に設けられた液晶ディスプレイを遮蔽または開放にする。保護蓋は、蓋体、少なくとも一つの挟持部、および一つのつかみ部を有する。蓋体は、弾性部材からなり、一つの側に裏蓋を収容する収容空間が凹設され、裏蓋が外力のこすりまたは衝撃を受けることによるこすり傷または凹みを防ぐ。蓋体には、タブレットＰＣの外部と連絡する部位に対応して、穴部があらかじめに開けられ、液晶ディスプレイカバーの各軸受台に対応する位置には、それぞれ逃げ口があらかじめに開けられている。各挟持部は、蓋体が収容空間付近の周縁に設けられ、蓋体の周縁から収容空間に延ばしてフック状に形成され、タブレットＰＣの周辺との整合性を有する。裏蓋が収容空間に収容された後、各挟持部がタブレットＰＣの周縁に掛けることによって、蓋体と裏蓋は一体に結合される。つかみ部は、蓋体において結合部に対応する位置に設けられ、蓋体の周縁から延ばして形成される。蓋体と裏蓋が一体に結合したとき、つかみ部は枢軸の外部から枢軸と反転棒との間に挟持され、使用者が液晶ディスプレイカバーを反転するとき、枢軸が結合部から離脱しないことを確保する。各軸受台は枢軸を軸心として、共に回転するとき、反転棒は枢軸を軸心として、つかみ部の外側で回転することができる。
【０００９】
これにより、使用者は液晶ディスプレイカバーを使用するときに、液晶ディスプレイカバーだけをつかんだ状態において、タブレットＰＣが不安定になり、枢軸が結合部からはずれて、タブレットＰＣが地面に落ちて、破損する事故が発生することを心配することはない。使用者はタブレットＰＣを使用するときに、保護蓋の助けにより、タブレットＰＣまたは液晶ディスプレイカバーの任意の部位を把持することができる。保護蓋の組立と取り外しは極めて便利であり、使用者が動かない状態でタブレットＰＣを使用する場合は、保護蓋または液晶ディスプレイカバーを一時取り外して、タブレットＰＣをもっともコンパクトな状態で操作することができる。使用者がタブレットＰＣを外に持ち出し、通勤または人の往来が多い場所で使用するとき、タブレットＰＣ、液晶ディスプレイカバー、および保護蓋を容易に一体に結合し、タブレットＰＣに対し最適な保護を提供することができる。保護蓋は液晶ディスプレイカバーと同時に使用する必要はなく、直接にタブレットＰＣと一体に組み付けることができ、使用者のニーズにしたがって組み合わせることができる。装置全体を覆う保護バッグに比べて、より高い柔軟性を有し、個人の風格をアピールすることができる。
【図面の簡単な説明】
【００１０】
【図１】本考案の一実施形態による保護カバーを示す分解斜視図である。
【図２】本考案の一実施形態による保護カバーの要部拡大図である。
【図３】本考案の一実施形態による保護カバーの要部拡大図である。
【図４】本考案の一実施形態による保護カバーの要部拡大図である。
【考案を実施するための形態】
【００１１】
（一実施形態）
本考案による一実施形態の保護カバーを図面に基づいて説明する。
本考案の一実施形態では、保護カバーはタブレットＰＣ１１の保護に適用し、液晶ディスプレイカバー１２および保護蓋１３を有する。図１、図２に示すように、タブレットＰＣ１１は前蓋１１１裏蓋１１２を有する。前蓋１１１上に液晶ディスプレイ１１３が設けられ、前蓋１１１と裏蓋１１２と接続する一つの側辺には結合部１１４が設けられている。本実施形態において、結合部１１４は液晶ディスプレイカバー１２が磁力によって、結合部１１４と一体に結合する機能を提供する。ただし、他の実施形態では、結合部１１４はつかみ部または枢接台であっても良い。液晶ディスプレイカバー１２とタブレット１１と結合する部位は、本実施形態でいう結合部１１４に相当たる。図２は液晶ディスプレイカバー１２の要部拡大図である。液晶ディスプレイカバー１２は、枢軸１２４、２つの軸受台１２３、一つの反転棒１２２、およびカバー部１２１を有する。本実施形態において、液晶ディスプレイカバー１２の枢軸１２４と結合部１１４（図１参照）とは磁力によって、互いに結合される。枢軸１２４の両端部はそれぞれ各軸受台１２３に回転可能に接続され、反転棒１２２の両端部もそれぞれ各軸受台１２３に回転可能に接続される。反転棒１２２と枢軸１２４との間は隙間１２５が形成され、軸心は互いに平行されている。カバー部１２１の一端は反転棒１２２の表面を覆い、反転棒１２２を軸心として反転し、液晶ディスプレイ１１３を遮蔽または開放する。
【００１２】
引き続き、図１を参照する。保護蓋１３は、蓋体１３１と、少なくとも一つの挟持部１３３、および一つのつかみ部１３４を有する。そのうち、蓋体１３１はポリカーボネート（Ｐｏｌｙｃａｒｂｏｎａｔｅ，  ＰＣ）から形成される。ただし、蓋体１３１の部材はこの限らない。蓋体１３１の一方の面には、収容空間１３２が凹設され、収容空間１３２は、裏蓋１１２を収容し、裏蓋１１２の外力によるこすりまたは衝撃によるこすり傷または凹みを抑制する。蓋体１３１は、タブレットＰＣ１１の外部と連絡する部位の、スピーカ穴、カメラのレンズ、各種のボタンまたは各種周辺装置のコネクタなどに対応する、穴部１３６を有する。このほか、液晶ディスプレイカバー１２に備える各軸受台１２３はタブレットＰＣ１１と接触して、各軸受台１２３に対応する位置は、それぞれ逃げ口１３５を有する。各挟持部１３３は、蓋体１３１の収容空間１３２の周縁付近部に位置し、収容空間１３２に向いて延ばすフック状に形成され、タブレットＰＣ１１の周辺装置と整合性を有する。裏蓋１１２が収容空間１３２に収容されると、各挟持部１３３によって、タブレットＰＣ１１の周辺が握持され、蓋体１３１と裏蓋１１２とが一体に結合する。つかみ部１３４は、蓋体１３１において、結合部１１４に対応する位置に設けられ、蓋体１３１と裏蓋１１２とが一体に結合したとき、枢軸１２４の外部より枢軸１２４と反転棒１２２との間の隙間１２５（図２に示す）に掛け、使用者が液晶ディスプレイカバー１２を反転するとき、枢軸１２４が結合部１１４から離脱することを抑制する。
【００１３】
液晶ディスプレイカバー１２は枢軸１２４によって、結合部１１４に結合され、蓋体１３１は各挟持部１３３によって裏蓋１１２と一体に結合されるとき、つかみ部１３４と枢軸１２４とは対向の関係を形成する。図３に示すように、カバー部１２１によって液晶ディスプレイ１１３が覆われる。図４は、カバー部１２１を裏蓋１１２（図１に示す）の一端に反転した態様を示す。つかみ部１３４は、枢軸１２４の外部から枢軸１２４と反転棒１２２との間の隙間１２５（図２に示す）に掛けられ、各軸受台１２３は枢軸１２４を軸心として反転する。反転棒１２２は、枢軸１２４を軸心として、つかみ部１３４の外側で反転することができる。このとき、反転棒１２２とその上を覆っているカバー部１２１の全体は、前蓋１１１側の面から、裏蓋１１２側の面に反転するか、逆方向に反転可能である。
【００１４】
このように、使用者は、タブレットＰＣ１１を使用するとき保護蓋１３によって、任意に液晶ディスプレイカバー１２を反転し、枢軸１２４は結合部１１４から離脱することなく、液晶ディスプレイカバー１２のみをつかんでも、タブレットＰＣ１１が液晶ディスプレイカバー１２から離れ、タブレットＰＣ１１が破損することを抑制することができる。よって、使用者はタブレットＰＣ１１または液晶ディスプレイカバー１２いずれかの部位を把持することができる。
【００１５】
本考案は、このような実施形態に限定されるものではなく、考案の趣旨を逸脱しない範囲において種々の形態で実施することができる。
【符号の説明】
【００１６】
１１・・・タブレットＰＣ、
１１１・・・前蓋、
１１２・・・裏蓋、
１１３・・・液晶ディスプレイ、
１１４・・・結合部、
１２・・・液晶ディスプレイカバー、
１２１・・・カバー部、
１２２・・・反転棒、
１２３・・・軸受台、
１２４・・・枢軸、
１２５・・・隙間、
１３・・・保護蓋、
１３１・・・蓋体、
１３２・・・収容空間、
１３３・・・挟持部、
１３４・・・つかみ部、
１３５・・・逃げ口、
１３６・・・穴部。
【図１】
0003178107.tif 000003
【図２】
0003178107.tif 000004
【図３】
0003178107.tif 000005
【図４】
0003178107.tif 000006